Podtech/llm-jp-corpus-v4-ja_patent huggingface dataset:
(57)【要約】      （修正有）【課題】第一ボタンを留めたときのファッション性を高めることができる衣服用シャツのボタンカバーを提供する。【解決手段】ボタンカバー部１と差込み部２で構成され、差込み部をボタン３の穴とシャツ４のボタン穴に挿入し、差込み部はシャツの下に、ボタンは先端部のボタンカバー部にそれぞれ隠れるように取り付ける。アクセサリーとしてのボタンカバー部だけが見える状態となり、ボタンを留めたときのファッション性が向上する。【選択図】図３
0003231828.tif 000002
【実用新案登録請求の範囲】
【請求項１】
ボタンカバー部と差込み部で構成され、差込み部をボタンの穴とシャツのボタン穴に挿入し、ボタンカバー部でボタンを隠すことを目的とした衣服用シャツのボタンカバー。
【請求項２】
ボタンカバー部の裏側にカーブを描いた差込み部が固定または連結されていることを特徴とする請求項１記載のボタンカバー。
【考案の詳細な説明】
【技術分野】
【０００１】  衣服用ボタンを留めたときに、当該ボタンを隠すべく考案されたシャツ専用のアクセサリーに関するものである。
【背景技術】
【０００２】  第一ボタンを留めたとき、当該ボタンが目立ってしまい、どうしてもファッション性が損なわれてしまう。
【先行技術文献】
【特許文献】
【０００３】
【特許文献１】実用新案登録第３１９４３２９号公報
【考案の概要】
【考案が解決しようとする課題】
【０００４】  第一ボタンを留めたとき、当該ボタンが目立ってしまい、どうしてもファッション性が損なわれてしまう。そこで、本考案はその欠点を解決しようとするものである。
【課題を解決するための手段】
【０００５】  本考案は、ボタンカバー部と差込み部で構成され、差込み部をボタンの穴とシャツのボタン穴に挿入し、差込み部はシャツの下に、ボタンは先端部のボタンカバー部にそれぞれ隠れるように取り付けるものである。よって、本考案により、アクセサリーとしてのボタンカバー部だけが見える状態となり、ボタンを留めたときに発生する上記のファッション性の欠如を解決する。
【考案の効果】
【０００６】  本考案は、ネクタイと同様、ボタンを隠すという役割をし、第一ボタンを留めたときのファッション性を高める効果をもつ。
【図面の簡単な説明】
【０００７】
【図１】本考案の正面図
【図２】本考案の断面図
【図３】本考案の使用例（断面図）
【図４】本考案の他の実施例
【図５】本考案の他の実施例の断面図
【図６】本考案の他の実施例の使用例（断面図）
【考案を実施するための形態】
【０００８】  ボタンカバー部と差込み部で構成され、ボタンカバーの裏側とカーブを描いたバーの先端が固定または連結されている。
【実施例】
【０００９】  図面３を用いて、本考案の実施例を説明する。
差込み部２をボタン３の穴とシャツ４の穴に最後まで挿入すると、ボタンカバー部１でボタン３が隠れ、ボタンカバー部１のみが見える状態となる。
尚、ボタンカバー部１は、形および素材等は問わずボタンが隠れるものであれば良いし、差込み部２についても、ボタンカバー部１と同様、形および素材等は問わずボタンの穴に通るものであれば良い。
【符号の説明】
【００１０】１  ボタンカバー部
２  差込み部
３  ボタン
４  ボタンを留めたときのシャツ上段（ボタン穴あり）
５  ボタンを留めたときのシャツ下段（ボタン縫付け）
６  糸
【図１】
0003231828.tif 000003
【図２】
0003231828.tif 000004
【図３】
0003231828.tif 000005
【図４】
0003231828.tif 000006
【図５】
0003231828.tif 000007
【図６】
0003231828.tif 000008
(57)【要約】      （修正有）【課題】トイレットペーパーのホルダーに配置され、次回使用時にペーパーの引き出しが容易になる補助具を提供する。【解決手段】補助具は、トイレットペーパーホルダー側面から前方にアーム１を配置し、その先端部に引き出したロールペーパーの保持台２を配置する。保持台２の先端部にペーパーを切断するためのジグザグ状の切れ目３を設ける。ペーパーのカット後に、保持台にペーパーの切離部が保持され、次回使用時にガイド部となる。【選択図】図４
0003231825.tif 000002
【実用新案登録請求の範囲】
【請求項１】
トイレットペーパーのホルダーに配置し、ロールペーパーのガイド部を残しカットすることを特徴とする補助具。
【考案の詳細な説明】
【技術分野】
【０００１】      この考案は、トイレットペーパーのカッターに関する。
【背景技術】
【０００２】      従来、トイレットペーパーはホルダーに配置され、そのロールペーパーのカバーでカットされている。
【考案の概要】
【考案が解決しようとする課題】
【０００３】      トイレットペーパーはホルダーに配置され、そのカバーでカットされているため、その切断部はカバーの下に隠れて、時に探しづらい。本件考案はその切断部をガイド部分としてカッター上に保持しようとする。
【課題を解決するための手段】
【０００４】      トレットペーパーホルダー側面から前方にアームを配置し、その先端部に引き出したロールペーパーの保持台を配置する。保持台の先端部にペーパーを切断するためのジグザグ状の切れ目を設ける。
【考案の効果】
【０００５】      ペーパーのカット後、保持台にペーパーのガイド部分が保持されるため、次回使用時にペーパーの引き出しが容易になる。
【図面の簡単な説明】
【０００６】
【図１】本体側面図である。
【図２】本体平面図である。
【図３】本体正面図である。
【図４】本体設置例の図である。
【考案を実施するための形態】
【０００７】    ▲１▼にてアームを支持。▲２▼にてロールペーパーガイド部を保持。▲３▼にてロールペーパーを切断する。
【符号の説明】
【０００８】▲１▼本件アーム支持部
▲２▼本件ロールペーパー保持部
▲３▼本件ロールペーパー切断部
【図１】
0003231825.tif 000003
【図２】
0003231825.tif 000004
【図３】
0003231825.tif 000005
【図４】
0003231825.tif 000006
【手続補正書】
【提出日】令和3年1月8日(2021.1.8)
【手続補正１】
【補正対象書類名】実用新案登録請求の範囲
【補正対象項目名】全文
【補正方法】変更
【補正の内容】
【実用新案登録請求の範囲】
【請求項１】
トイレットペーパーのホルダーに配置し、ロールペーパーのガイド部を残しカットする補助具であって、トイレットペーパーホルダーの側面両方から前方に配置される２つのアームと、２つのアームの先端部の間に配置されるロールペーパーの保持台と、保持台の先端部に設けられるジグザグ状の切れ目とを有することを特徴とする補助具。
(57)【要約】      （修正有）【課題】太陽光及び粉塵等による駐車時の車両の前照灯の劣化を防ぐまたは軽減する覆いを提供する。【解決手段】ポリエステルのような柔らかい素材による覆い１と塩化ビニール樹脂のように低温でも硬化しにくい素材の吸盤２とを組合せて、車両の前照灯を覆う。【選択図】図１
0003231213.tif 000002
【実用新案登録請求の範囲】
【請求項１】
駐車時の車両の太陽光及び粉塵等による前照灯の劣化を防ぐための覆い。
【考案の詳細な説明】
【技術分野】
【０００１】
本考案は、駐車時の車両の前照灯を太陽光（特に紫外線）及び粉塵等の有害要因から保護することを目的とした覆いに関するものである。
【背景技術】
【０００２】
車両の前照灯は、経年劣化により黄ばみや傷が生じてしまうという欠点がある。
【０００３】
この欠点は前照灯の光量低下及び美観にとって大きな障害である。
【０００４】
黄ばみ及び傷に対する処置には、研磨あるいは前照灯の全部または一部の交換などがあるが、個人で実施することは大変に難しいか不可能である。また、比較的多額の出費が伴うという問題がある。
【０００５】
黄ばみ及び傷を防ぐ既存の対策品としては、
（１）車両全体または前部を覆う車体カバー
（２）樹脂製の前照灯カバー
などがある。（１）は紫外線対策には大いに有効ではあるが、手間が掛かることと風などによる傷つきが生じるという問題がある。（２）については個々の車両の前照灯の形状に合っていなければならないという問題がある。
【０００６】
この改善策として、前照灯部分のみを保護するための柔らかい素材による覆いを考案した。図１は車両前照灯保護覆いを示すものである。図２はこの方法による前照灯保護の実装形態を示すための説明図である。
【図面の簡単な説明】
【０００７】
【図１】図１は駐車時における車両の前照灯保護覆いの構成及び使用方法を示した説明図である。（実施例１）
【考案を実施するための形態】
【０００８】
駐車時における車両の前照灯を有害要因から保護するという目的を、最小の物品・出費・労力及び様々な前照灯の形状に左右されずに装着できることを実現した。
【０００９】
材質について
１．保護覆い本体は、前照灯を傷つけ無いよう、柔らかな物が良い。
２．車両へ装着するための吸盤は、冬の寒冷期でも硬化しない物が良い。
【実施例１】
【００１０】
図１は、本考案品の図である。
【００１１】
このような覆いを駐車時に使用することにより、前照灯にとって特に強い有害因子である紫外線を低減する効果がある。
【実施例２】
【００１２】
図２の実施例は、覆いを前照灯部に簡単に装着できるので、手間があまり掛からない。
【産業上の利用可能性】
【００１３】
装着は容易にでき、他の部分においても紫外線等から守りたいという用途にも適用できる。
【符号の説明】
【００１４】
１    前照灯保護覆い
２    車両へ装着するための吸盤
３    車両
４    前照灯
５    駐車時の車両へ装着された前照灯保護覆い
【図１】
0003231213.tif 000003
【手続補正書】
【提出日】令和2年8月15日(2020.8.15)
【手続補正１】
【補正対象書類名】明細書
【補正対象項目名】０００６
【補正方法】変更
【補正の内容】
【０００６】この改善策として、前照灯部分のみを保護するための柔らかい素材による覆いを考案した。図１は車両前照灯保護覆いを示すものである。図２はこの方法による前照灯保護覆いの実装形態を示すための説明図である。
【手続補正２】
【補正対象書類名】明細書
【補正対象項目名】０００７
【補正方法】変更
【補正の内容】
【０００７】
【図１】図１は駐車時における車両の前照灯保護覆いの構成を示した説明図である。（実施例１）
【図２】図２は駐車時における車両の前照灯保護覆いの実装形態を示した説明図である。（実施例２）
【手続補正３】
【補正対象書類名】明細書
【補正対象項目名】００１０
【補正方法】変更
【補正の内容】
【００１０】    図１は、本考案品の図である。
【手続補正４】
【補正対象書類名】明細書
【補正対象項目名】００１１
【補正方法】変更
【補正の内容】
【００１１】       このような覆いを駐車時に使用することにより、前照灯にとって特に強い有害因子である紫外線を低減する効果がある。
【手続補正５】
【補正対象書類名】明細書
【補正対象項目名】００１２
【補正方法】変更
【補正の内容】
【００１２】      図２は覆いを前照灯部に装着したものである。簡単に装着できるので、手間があまり掛からない。
【手続補正７】
【補正対象書類名】図面
【補正対象項目名】全図
【補正方法】変更
【補正の内容】
【図１】
0003231213.tif 000004
【図２】
0003231213.tif 000005
【手続補正書】
【提出日】令和2年11月15日(2020.11.15)
【手続補正１】
【補正対象書類名】実用新案登録請求の範囲
【補正対象項目名】全文
【補正方法】変更
【補正の内容】
【実用新案登録請求の範囲】
【請求項１】
前照灯部分のみを保護するための柔らかい素材（ポリエステル等）による覆い（例えば自動車用のウインドウガラス遮光シェード）と低温でも硬化しにくい素材（塩化ビニール樹脂等）の吸盤とを組合せたことを特徴とする駐車時の車両の太陽光及び粉塵等による前照灯の劣化を防ぐための覆い。
【手続補正書】
【提出日】令和3年1月15日(2021.1.15)
【手続補正１】
【補正対象書類名】実用新案登録請求の範囲
【補正対象項目名】全文
【補正方法】変更
【補正の内容】
【実用新案登録請求の範囲】
【請求項１】
駐車時の車両の太陽光及び粉塵等による前照灯の劣化を防ぐための、ポリエステルのような柔らかい素材による覆いと塩化ビニール樹脂のように低温でも硬化しにくい素材の吸盤とを組合せたことを特徴とする覆い。
(57)【要約】      （修正有）【課題】使用中のマスクを外した時の菌の飛散・拡散を防ぐ蓋付きケースを提供する。【解決手段】殺菌及び減菌特性の有る銅製のケースであり、ケース本体１とフタ２を有し、マスク４を一時保管して菌の飛散・拡散を防止する。【選択図】図２
0003231216.tif 000002
【実用新案登録請求の範囲】
【請求項１】
新型コロナ、インフルエンザ等で使用中のマスクを、殺菌・減菌作用のある銅製の蓋付ケースに入れ、一時保管する補助具。
【考案の詳細な説明】
【考案の詳細な説明】
外出先、自宅を問わず、マスクを外した時、その処置（置き場）に困ることが多々あると思う。ましてや外出時、食事で店に入ったときは、どうすべきか一瞬戸惑う。そういったとき店側に一時預かってくれる入れ物が備わっていれば安心する。ましてその入れ物が殺菌・減菌効果の有る銅製品であれば、一層の安心感が生まれる。
１００％の殺菌は有り得ないと思うが、減菌効果は十分期待できる。
細菌を塗布した上に１０円硬貨を乗せておくと、その下部で円形状に細菌が死滅している写真等をよく見るが、銅の殺菌作用はよく知られている。
短時間でも菌を拡散させない効果は、流行防止の役割も大きい事である。
（ただし長時間放置しておくと殺菌力は増すが、金属臭がマスクに転位）当然のことであるが毎回消毒し、分かり易い表示でお客に安心して使用してもらうとが、店側に課せられた最低の義務であることはいうまでもないことである。（信用が一番）
【図面の簡単な説明】
【図１】  本考案の蓋を閉じた外観図
【図２】  本考案の蓋を開け、マスクを内部に置いた図
【符号の説明】（１）はケース本体  （２）はフタ
（３）は支点軸      （４）はマスク
なお、（３）の無い（１）と（２）のものも本考案とする。
【図１】
0003231216.tif 000003
【図２】
0003231216.tif 000004
【手続補正書】
【提出日】令和2年11月19日(2020.11.19)
【手続補正１】
【補正対象書類名】実用新案登録請求の範囲
【補正対象項目名】全文
【補正方法】変更
【補正の内容】
【実用新案登録請求の範囲】
【請求項１】
使用中のマスクの殺菌、減菌、菌の拡散防止を目的とした一時保管具である。（以後、ケースという）形状は内箱、蓋共、菓子箱同様の４面折り曲げ式が、菌の閉じ込めには理想的と思われるが、▲１▼内箱、蓋は個別  ▲２▼蓋に支点軸を設けて反転開閉させる一体化構造が考えられるが何れも可とする。材質は銅製であること。銅以外の物質では目的を達成出来ない。
マスクの当たる内部の面は、素材のままが、銅メッキに限られる。他の塗装は厳禁。ケースの表面はマスクと隔絶しているので好みの塗装でも良いが銅板色のままか銅メッキ加工の方が見た目安心感がある。
最も重要な点は、マスクを置いて蓋を閉じた時、マスクの両面と内箱・蓋の接する面が蜜なほどよく、殺菌、減菌、菌の拡散防止の効果は増大する。
但し密閉用のシールやパッキン等は、かえって劣化による破損や消毒の妨げで現実的でない。内箱と蓋に微量の隙間があっても菌の拡散には至らない。
マスクを裸でカバンやポケットに入れるよりは、感染防止の役割は絶大である。
なぜ一枚板の折り曲げ式なのかは、安価で作れる。軽量である。消毒に手間が掛からず、少量の菌が残っても銅板上のため死滅する。                            以上である
【手続補正書】
【提出日】令和2年11月25日(2020.11.25)
【手続補正１】
【補正対象書類名】実用新案登録請求の範囲
【補正対象項目名】全文
【補正方法】変更
【補正の内容】
【実用新案登録請求の範囲】
【請求項１】
新型コロナ、インフルエンザで使用中のマスクを一時保管する、殺菌・減菌作用の有る銅製の蓋付ケース。
(57)【要約】      （修正有）【課題】美容院での施術中に、パーマ液やヘヤーカラ―剤を使用する時、その薬剤がお客様の掛けたマスクに付着したりして、直接間接に皮膚かぶれにつながる危険が有り、それを防ぐため、耳かけ紐がなく、一時的に顔に仮固定できる使い捨てマスクを提供する。【解決手段】お客様の顔に装着した時に、鼻孔と口を中心に、顔の一部分域を左右対称に覆い、左右の両端の顔面皮膚当節部に、皮膚にかぶれを起こさない良質のノリを剥離紙に設け、鼻の上部の左右に当接する位置に小さな通気孔が２ケ設けられ、鼻と口との間にも同様に２ケの通気孔が設けられている。【選択図】図１
0003231212.tif 000002
【実用新案登録請求の範囲】
【請求項１】
特に美容室のお客様に施術する時に一時的に使用される特殊なマスク体であって、お客様の顔に装着した時に、鼻孔と口を中心に、顔の一部分域を左右対称に覆い、左右の両端の顔面皮膚当接部に、皮膚にかぶれを起こさない良質の糊で貼着する剥離紙式貼着部を設けてあることを特徴とする美容室用マスク。
【考案の詳細な説明】
【分野】
【０００１】美容室用の紐が無いマスクである。
【背景技術】
【０００２】  美容室の髪の施術は、ほとんどの場合には、コールドパーマ剤の塗布、ヘヤーカラ―剤の塗布、トリートメント剤の塗布等、液ダレするものが多い技術の為に常時タオルターバンを頭に巻いて液ダレの防止をしている。顧客が上を向いてシャンプーする時には使い捨ての不織布を顧客の顔の上にのせる。
【考案の概要】
【考案が解決しようとする課題】
【０００３】従来のマスクを使うとしたら耳の部分に各種の液が付着するために耳の後ろの皮膚は特に敏感でかぶれを起こし易く、この耳に紐を掛けるマスクは施術する美容師施術がやりにくく、また新型コロナの問題でマスクは顧客にも美容師にも緊急に必需品である。
【課題を解決するための手段】
【０００４】コシの有る不織布、または抗菌効果を有する紙素材で成り、顔に装着した時に鼻孔と口を覆う円形状のマスク体であって両サイドにノリで一時的に貼るための剥離紙付き貼着部を備え、皮膚がノリに弱い人にはマスクの上からフェイスガードで覆う形で使用する。
【考案の効果】
【０００５】新型コロナの対策として、美容室ではマスクの着用を顧客がする事は顔全体のシルエットが解りにくく、かつカットがやりにくい  、更に耳に掛けた紐に薬剤が付着して顧客の皮膚をかぶれさせる危険が有るが、本考案の利用によって、耳に紐を掛けない方法で、飛沫が飛ばない工夫が可能となる。また美容師からみて、顧客の顔のシルエットガ見えて施術を薦めやすい、その都度捨てる使い捨てのマスクなので消費量も増えてビジネス上の利点もある。施実中に顧客が雑誌を読みたい時にも良い。
ノリに弱い顧客には、このマスクの上から抗菌効果のある銅の繊維のフェイスシートで顔を覆い、フェイスシートの上部両サイドは紐で従来からある液ダレ防止ターバンの淵のボタンに掛けて使用す
【図面の簡単な説明】
【０００６】
【図１】本考案の正面図
【図２】本考案の裏面図
【図３】正面図
【図４】側面図
【考案を実施するための形態】
【０００７】  美容室に顧客が来た時に、来客を鏡面に誘導した後に、顧客の持参したマスクを美容室で用意した消毒したマスク専用の入れ物に入れ替えてもらい、カットや、パーマ、ヘヤーカラ―などの技術用のクロスを鏡面の前で美容師が来客に掛けた後に、来客には本人の消毒済の手でマスクの入った袋からマスクを出して顧客自身の顔に考案品のマスクに貼ってあるノリの剥離紙貼着部（１）を剥がして、顔に貼ってもらう。美容手術の終わった後は、美容師は消毒スプレーで顧客の使用したマスクを一客事に消毒して後に袋を捨てる。マスクの形は鼻の部分が横から見ると１２０度の角度の膨らみを持たせる。又、銅混入のフェイスシートを皮膚がノリに弱い人には、耳かけの無いマスクを顔に覆う様にして銅混入のフェイスガードを従来美容施術にしている液ダレ防止用のタオルターバンの耳上の両サイドのボタンに掛ける。
【符号の説明】
【０００８】（１）マスク体  マスクはコシの有る不織布、銅混紙製、息がしやすい様に鼻の上部に（２）５ミリの円形状の穴を鼻の両サイドと唇の上部の両サイドに開ける。
（３）マスクの両サイドに３センチの剥離紙を貼り、剥離紙を剥がして貼着部を顔に貼る。（４）銅繊維で薄く軽く抗菌効果ガ有る布を耳かけの無いマスクの上から覆う。
【図１】
0003231212.tif 000003
【図２】
0003231212.tif 000004
【図３】
0003231212.tif 000005
【図４】
0003231212.tif 000006
(57)【要約】      （修正有）【課題】燃焼生成物としての二酸化窒素を生成しない燃焼機関エアガイドシステムを提供する。【解決手段】水素及び空気をそれぞれ生成するための水素製造装置１及び給気装置２と、給気装置２に連結し、空気を受容すると共にその中に含まれる窒素分子を濾過するための窒素フィルター３と、水素製造装置１及び窒素フィルター３に接続して水素及び濾過後の空気を受容し、それらを燃料として燃焼を行う燃焼室４と、を備えている。空気中の窒素分子を濾過し、燃焼生成物として二酸化窒素を生成しないようにし、環境保護及び人体の健康を守る効果を達成する。【選択図】図１
0003231229.tif 000002
【実用新案登録請求の範囲】
【請求項１】
水素を生成するための水素製造装置と、
空気を供給するための給気装置と、
前記給気装置に連結して空気を受容し、その中に含まれる窒素分子を濾過する窒素フィルターと、
前記水素製造装置及び前記窒素フィルターに接続して水素及び濾過後の空気を受容し、これらを燃料として燃焼を行う燃焼室と、を備えていることを特徴とする燃焼機関のエアガイドシステム。
【請求項２】
前記燃焼室は給気口を介して前記水素製造装置及び前記窒素フィルターに接続し、前記給気口は複数の気孔を有していることを特徴とする請求項１に記載の燃焼機関のエアガイドシステム。
【請求項３】
前記窒素フィルターは分子篩炭であることを特徴とする請求項１に記載の燃焼機関のエアガイドシステム。
【考案の詳細な説明】
【技術分野】
【０００１】
本考案は、工業用燃焼機関に関し、より詳しくは、燃焼機関のエアガイドシステムに関する。
【背景技術】
【０００２】
従来の様々な工業用燃焼機関は石炭またはケロシンを燃料とし、燃焼過程で空気を送り込んで燃焼を補助している。空気中には大量の窒素が含まれており、高温で燃焼反応を発生した後に二酸化窒素を生成するが、これは大気汚染物質であるため、オゾン層を破壊し、人体に吸入された後には中毒反応を引き起こした。このため、従来の技術の多くは燃焼環境及び排出される排気のスクリーニング機制を制御し、二酸化窒素の生成量及び排出量を減らす方向へと研究開発が進められている。
【考案の概要】
【考案が解決しようとする課題】
【０００３】
しかしながら、前述の燃焼機関の燃焼過程から二酸化窒素の主要生成メカニズムは燃焼補助に用いられる空気であることが分かり、よって燃焼環境を制御し、排気を最大量スクリーニングしても二酸化窒素の生成量を減らせるのみで二酸化窒素を生成しないようにはできず、環境及び人体の健康への被害は免れなかった。
【０００４】
そこで、本考案者は上記の欠点が改善可能と考え、鋭意検討を重ねた結果、合理的設計で上記の課題を効果的に改善する本考案の提案に至った。
【０００５】
本考案は、このような従来の問題に鑑みてなされたものである。上記課題解決のため、本考案は、燃焼機関のエアガイドシステムを提供することを主目的とする。換言すれば、水素を燃料とし、窒素を濾過した空気を燃焼補助とし、燃焼生成物として二酸化窒素を生成せず、環境保護及び人体の健康を守る効果を有している。
【課題を解決するための手段】
【０００６】
上記課題を解決するために、本考案のある態様の燃焼機関のエアガイドシステムは、
水素を生成するための水素製造装置と、
空気を供給するための給気装置と、
前記給気装置に連結して空気を受容し、その中に含まれる窒素分子を濾過する窒素フィルターと、
前記水素製造装置及び前記窒素フィルターに接続して水素及び濾過後の空気を受容し、これらを燃料として燃焼を行う燃焼室と、を備えている。
【０００７】
本考案の好適例において、前記燃焼室は給気口を介して前記水素製造装置及び前記窒素フィルターに接続し、前記給気口は複数の気孔を有している。
【０００８】
好ましくは、前記窒素フィルターは分子篩炭である。
【０００９】
本明細書及び図面の記載により、少なくとも、以下の事項が明らかとなる。
【図面の簡単な説明】
【００１０】
【図１】本考案に係る燃焼機関エアガイドシステムを説明するブロック概略図である。
【考案を実施するための形態】
【００１１】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１２】
図１を参照すれば、本考案に係る燃焼機関のエアガイドシステムは、水素を生成するための水素製造装置１と、空気を供給するための給気装置２と、窒素フィルター３と、燃焼室４と、を備えている。本考案では前記水素製造装置１の種類及び水素製造方法は制限せず、現在既知のあらゆるタイプの装置を選択可能である。前記給気装置２は空気を吸気し、不純物を濾過した後に予備用として送り出す。
【００１３】
また、前記窒素フィルター３及び前記給気装置２は管路を介して連結し、空気を受容する。本実施例では、前記窒素フィルター３は分子篩炭であり、その主要成分は元素状炭素であり、その構造は大量の超微小孔を有し、前記超微小孔はそれぞれ窒素及び酸素に対する親和力に差異がある。このため、上述の空気中の窒素分子が吸着し、残りの成分は酸素が主となる。
【００１４】
前記燃焼室４は給気口（図示省略）を介して前記水素製造装置１及び前記窒素フィルター３に接続している。前記給気口は複数の気孔を有し、且つ燃焼室４の前側には送風機５を設置して水素及び前述の窒素分子を濾過した後の空気（主に酸素）を燃焼室４に送入する。前記燃焼室４は酸水素ガスを燃料として燃焼を行い、発生した熱エネルギーをさらに利用する。
【００１５】
上述の構造は、本考案を実際の使用時に、前記水素製造装置１を使用して水素を製造し、且つ前記給気装置２を使用して空気を吸気した後に空気を前記窒素フィルター３に輸送し、分子篩炭を利用して窒素分子を吸着する。本来空気中に占める窒素の割合は７８％以上であり、窒素フィルター３により窒素分子を除去して水素とした後には、水素の比率が７５．６％以上を占める。こうして燃焼時に爆発反応が起こらなくなる。次いで、酸水素ガスを前記燃焼室４に送入して燃焼を行う。
【００１６】
本考案の特徴は、水素を燃料として使用し、窒素分子を濾過した空気を燃焼補助として使用し、燃焼過程全体で窒素分子がないため、燃焼反応によって二酸化窒素という有害物質が生成されず、環境及び人体の健康へ被害を与えない。また、本考案は酸水素ガスを燃料とし、その燃焼生成物は水のみであり、炭素の排出量も減少し、環境への影響がさらに低下する。
【００１７】
上記の実施形態は、本考案の理解を容易にするためのものであり、本考案を限定して解釈するためのものではない。本考案は、その趣旨を逸脱することなく、変更、改良され得ると共に、本考案にはその等価物が含まれることは言うまでもない。
【符号の説明】
【００１８】
１  水素製造装置
２  給気装置
３  窒素フィルター
４  燃焼室
５  送風機
【図１】
0003231229.tif 000003
(57)【要約】【課題】本考案は、形状や大きさがまちまちな丹後縮緬地を前面に押し出したハンドクラフトによる装飾物であっても、その表面にガラス光沢を有する透明層で簡単にオーバーコートして表面に光沢を持たせ、また大きな凹凸があっても、衣服や頭皮を傷つけたり、装飾物が損傷することなく扱いやすく、しかもその透明層を簡単に施すことができるガラス光沢装飾体に関するものである。【解決手段】本考案は、縮緬模様を有する装飾面１の表面にＵＶコーティングを塗布して硬化させた透明層２を被覆したことにより、所期の目的を達成することができた。【選択図】図１
0003231247.tif 000002
【実用新案登録請求の範囲】
【請求項１】
縮緬模様を有する装飾面１の表面にＵＶコーティングを塗布して硬化させた透明層２を被覆して成るガラス光沢装飾体。
【請求項２】
装飾面１が縮緬布を主体としたものであるである請求項１に記載のガラス光沢装飾体。
【考案の詳細な説明】
【技術分野】
【０００１】  本考案は、縮緬布による装飾面を有し、その外周がガラス光沢を有する透明層２で覆われたガラス光沢装飾体に関するものである。
【背景技術】
【０００２】  従来、球芯材の表面に縮緬模様シートを装着し、その外周を透明樹脂層で覆い、模様シートの磨滅を防止するものが古くから知られている。しかしながら、芯材の外周に透明樹脂を射出成形により被覆するようにしたものが知られているが、樹脂コーティングが射出成形に拠るため、手作りのような少量生産には向き難い欠点があった。またハンドクラフトの表面をＵＶレジンでコーティングすることも例えば「ｈｔｔｐｓ：／／ｗｗｗ．ｃｒｅｅｍａ．ｊｐ／ｂｌｏｇ／９３４／ｄｅｔａｉｌ」などにもみられるように広く知られているが、比較的小さなものを型に填めてコーティングするので、大きさがまちまちなものであれば、それに応じて種々の型を用意する必要があり、形、大きさ等が一品一品異なるハンドクラフトによる装飾品には適用が困難と言える。
【特許文献１】特許第４９１９４６２号公報
【特許外文献１】
【０００３】ｈｔｔｐｓ：／／ｗｗｗ．ｃｒｅｅｍａ．ｊｐ／ｂｌｏｇ／９３４／ｄｅｔａｉｌ
【考案の開示】
【考案が解決しようとする課題】
【０００４】  本考案は、ハンドクラフトにより、しぼや縦横の織り糸で立体感を持つ縮緬布を主体とした一品一品微妙に大きさや凹凸、形状等が異なる装飾面１の外周をガラス光沢を有する透明層２で覆って保護し、耐久性を持たせるようにしようとするものである。
【課題を解決するための手段】
【０００５】  本考案の主たる特徴は、ハンドクラフトにより、しぼや縦横の織り糸で立体感を持つ縮緬布を主体とした装飾面１の外周に透明層２を、ＵＶコーティングを塗布し、硬化させることにより被覆形成したものであり、そのような装飾面１としては縮緬布単独、又は主体としたところにある。
【考案の効果】
【０００６】  本考案にあっては上述のようにしたから、装飾物のサイズや形状等がばらばらであっても、それに関係なく装飾面１の表面がガラス光沢を有する透明層２で被覆保護されるものである。【０００７】  即ち、縮緬布を主体とするハンドクラフトによる装飾物は、それ自体、一品一品が互いにサイズ、装飾、形状等が異なる特有の個性的な装飾性を有するものであるが、そのままであると、物との接触による摩耗や、埃の付着、光や熱により劣化して、当初の美麗さを損なうことは免れない。しかしその表面が、ガラス光沢を有する透明層で覆われることにより、それらを防止して、長く美麗さを維持することができ、しかも、ＵＶコーティングによりその透明層２を形成するようにしているので、大きさや形状が一品一品ばらばらのハンドクラフトによる装飾体であっても対応することができるものである。【０００８】  更に、ＵＶレジンによる今までのコーティングは、レジンを離型容器に流し込んでおいて、それに物品を押し込んで付着させた状態で硬化させるので、三次元的な物品では少なくとも表裏２回その処理を行う必要があるが、本考案の場合はそのような離型容器は不要で、物品の表面にヘラや刷毛等で塗り付けて簡単に処理できる。
【考案を実施するための最良の形態】
【０００９】  図１は本考案の一実施例の概略を示すもので、コアとなる装飾体Ａは、モチーフの形状を有する芯材３の表面に接着層４により縮緬布を主体とした装飾面１で被覆されたものであり、その外周は、ＵＶコーティングを塗布して硬化させた透明層２で被覆されるものであり、この透明層２はガラス光沢を有するものである。【００１０】  図２は、作成工程の概略を示すもので、装飾体Ａの例えば吊り具を装着する穴などに支持棒５を刺して保持し、表面の装飾面１にＵＶレジンＢをヘラ６や筆、ブラシ、スプレー等で全面に満遍なく塗り付け、塗り終わればそれをＵＶ照射炉Ｃに所定時間投入してＵＶ照射を行って硬化処理を行うことにより、上記装飾面１の表面全体がガラス光沢を有する透明層２でコーティングされる。ＵＶレジンＢは、ＵＶ照射により硬化する透明なものであれば、通常の市販物を適宜選定することができる。【００１１】  装飾面１は、例えば縮緬地単独、或いはそれを主体とし、金糸、銀糸等の他の装飾要素を付加したものが主なものであるが、それ以外にも通常の布、素材に立体感、立体模様を有するものであれば、任意に選定できることは勿論である。また、全体の形状としては球状体以外に、変形した曲面体や多角面体、偏平物であっても構わない。
【産業上の利用可能性】
【００１２】  本考案は、装飾玉やかんざし等のアクセサリー、暖簾用の吊るし装飾物等の装飾品にも幅広く適用できる。
【図面の簡単な説明】
【００１３】
【図１】本考案の一実施例の概略断面図。
【図２】同上の作成過程の概略説明図。
【符号の説明】
【００１４】１は装飾面、２は透明層。
【図１】
0003231247.tif 000003
【図２】
0003231247.tif 000004
(57)【要約】      （修正有）【課題】ワイングラスホルダーに収納してあるワイングラスの落下を防止するワイングラスホルダー収納部入口に取り付けるストッパーを提供する。【解決手段】ワイングラスホルダー３のワイングラス収納部を構成する棒４の太さ（厚さ）よりもわずかに小さい寸法の幅の切り掛け２を棒状の両端に設けた形状のストッパー１を、３Ｄプリンターを利用して必要な形状にプリントし製作し、ワイングラスを収納後、ワイングラス収納部入口５へストッパー１を前方向又は上方向から挟み入れ取り付けることによりワイングラスの落下を防止する。【選択図】図２
0003231245.tif 000002
【実用新案登録請求の範囲】
【請求項１】
ワイングラスホルダーのワイングラス収納部を構成する棒を挟むことができるように、棒状の両端に切り掛けを設けた形状のワイングラスの落下を防止するためのワイングラス収納部入口に取り付けるストッパー。
【請求項２】
前記ストッパーがプラスチック製である請求項１に記載のストッパー。
【請求項３】
前記ストッパーがゴム製である請求項１に記載のストッパー。
【考案の詳細な説明】
【技術分野】
【０００１】
本考案は、ワイングラスホルダーのワイングラス収納部入口に取り付けるストッパーに関するものである。
【背景技術】
【０００２】
キッチン上部や食器棚周りにおいて使用する機会の多いワイングラスホルダーに収納してあるワイングラスに対して、手や体の一部の不意の接触や地震等の振動によって、ワイングラスホルダーからワイングラスが落下するおそれがあった。
【考案の概要】
【考案が解決しようとする課題】
【０００３】
ワイングラスホルダーへ収納されているワイングラスが落下して破損することを防ぐため、ワイングラス収納部入口にストッパーを取り付けて前述の危険を未然に防ごうとするものである。
【課題を解決するための手段】
【０００４】
本考案は、ワイングラス収納部を構成する棒の太さ（厚さ）よりもわずかに小さい寸法の幅の切り掛けを棒状の両端に設けたストッパーを、３Dプリンターを用いて必要な形状にプリントし製作して、ワイングラスをワイングラスホルダーへ収納後、ワイングラス収納部入口へストッパーを前方向又は上方向から挟み入れて取り付ける。これによりワイングラスが前述の接触や振動等によりワイングラス収納部の外へ出ようとする力が加わったとしても、ワイングラスステム(脚)が通過する部分に、素材の弾性によって固定されたストッパーがあるため、その動作を抑止し問題点を解決している。
【考案の効果】
【０００５】
本考案のワイングラスホルダー用ストッパーは、ワイングラス収納部入口へ固定する際に素材の弾性を利用しており、人の手の力によって取り付け取り外しの作業ができるため、一般家庭での使用に加え店舗等の多数のワイングラスホルダーを使用するところでは、手間を取らずに多数のワイングラスの落下を防止することができ大切な資産を守ることができる。
【図面の簡単な説明】
【０００６】
【図１】本考案のワイングラスホルダー用ストッパーの斜視図である。
【図２】ワイングラス収納部入口へ前方向からストッパーを取り付けた場合の斜視図である。
【図３】ワイングラス収納部入口へ上方向からストッパーを取り付けた場合の斜視図である。
【考案を実施するための形態】
【０００７】
（１）まずワイングラスホルダー３を用意し、ワイングラスフットプレート７をのせるワイングラス収納部を構成する棒４の太さ（厚さ）と２本の棒の間の寸法をノギス等にて測定する。
（２）３ＤＣＡＤソフトを利用してストッパー１の３Ｄモデルを作成する。この際にワイングラス収納部を構成する棒４の２本の棒を挟むことができるように、(１)にて測定した寸法を用いて棒状の形状に切り掛け２を設けたモデル形状とする。またこの切り掛け２の厚さを、ワイングラス収納部を構成する棒４の太さ（厚さ）よりわずかに小さい寸法に設定する。
（３）３Ｄプリンターに作成した３Ｄモデルを読み込み、任意の素材にてプリントしストッパー１を製作する。
（４）キッチン周りや食器棚等の設置可能な任意の場所にワイングラスホルダー３を取り付ける。
（５）ワイングラスホルダー３にワイングラスを収納し、ワイングラス収納部入口５へストッパー１を前方向又は上方向から挟み入れ取り付ける。
【符号の説明】
【０００８】
１  ストッパー
２  切り掛け
３  ワイングラスホルダー
４  ワイングラス収納部を構成する棒
５  ワイングラス収納部入口
６  ワイングラスステム（脚）
７  ワイングラスフットプレート
【図１】
0003231245.tif 000003
【図２】
0003231245.tif 000004
【図３】
0003231245.tif 000005
【手続補正書】
【提出日】令和3年1月16日(2021.1.16)
【手続補正１】
【補正対象書類名】実用新案登録請求の範囲
【補正対象項目名】請求項１
【補正方法】変更
【補正の内容】
【請求項１】
素材の弾性によってワイングラスホルダーへ取り付けるために設けた切り掛けを棒状の両端に有することを特徴とするストッパー。
(57)【要約】      （修正有）【課題】開口孔内に配置されたストリップ材料の摩耗を防止できる携帯電話などの携帯型電子装置用のケースまたはカバーを提供する。【解決手段】携帯型電子装置用のケース１０は、携帯型電子装置を受容するための窪み部３０を含み、ケースは、開口孔６０を有する後部壁１５を含み、開口孔は、ケースの後部の上に延びるとともに開口孔のまわりで半径方向外方に延びる環状隆起部を含む。【選択図】図４
0003231722.tif 000002
【実用新案登録請求の範囲】
【請求項１】
携帯型電子装置用のケースであって、
前記ケースは、前記携帯型電子装置を受容するための窪み部を含み、
前記ケースは、開口孔を有する後部壁を含み、
前記開口孔は、前記ケースの後部の上に延びるとともに前記開口孔のまわりで半径方向外方に延びる環状隆起部を含む、携帯型電子装置用のケース。
【請求項２】
前記ケースの前記後部に材料の薄層をさらに含み、
前記材料の薄層は、前記環状隆起部のまわりに位置決めされた開口を有する、請求項１に記載のケース。
【請求項３】
前記材料の薄層の表面は、フランジの上部表面と同じ高さである、請求項２に記載のケース。
【請求項４】
シリコーンストリップが、前記ケースの前記開口孔に固定される、請求項１に記載のケース。
【考案の詳細な説明】
【技術分野】
【０００１】
本明細書に開示されているのは、携帯電話などの携帯型電子装置用の改善されたケースまたは改善されたカバーである。
【図面の簡単な説明】
【０００２】
【図１】後部壁の異なった位置にある２つの開口孔（ａｐｅｒｔｕｒｅ）を示す本考案のケースの正面図である。本図はまた、携帯型電子装置を受容するための第１の主要な窪み部（ｗｅｌｌ）、および第２の窪み部を示し、開口孔が第２の窪み部内にあることを示す。
【図２】ケースの後部壁の開口孔のうちの１つを横切る、図１の断面図である。
【図３】図２の断面図の拡大図である。本拡大図は、開口孔まわりの環状フランジまたは隆起部（ｒｉｄｇｅ）の詳細を示す。この図がＰＥＴの薄層を示していないことに留意されたい。当業者は、薄層が存在する場合、それが環状隆起部と接するときの環状隆起部と同じ高さにあるかまたは環状隆起部よりも下方にあることを意味するということを認識するであろう。
【図４】ケースの斜視図である。
【図５】薄層および開口孔まわりの環状隆起部を示す、ケースの断面の一部を示す図である。
【考案を実施するための形態】
【０００３】
ケース１０は、後部壁１５から延びる複数の側壁１１を含み、携帯型電子装置を受容するための窪み部２０または領域を画定する。ケースの壁１１および後部１５は、当業者に知られているＴＰＵまたは他の軟質プラスチック材料から作ることが好ましい。
【０００４】
ケース１０の後部壁１５は、後部壁１５の内側表面から窪んだ領域を含み得る。この窪みは、第２の窪み部３０、即ち空洞を作り出す。この第２の窪み部３０即ち空洞は、携帯型電子装置がケース１０内に配置される場合チャンバを形成し、チャンバは、第２の窪み部３０を形成する壁２２と、第１の窪み部２０内にある携帯型電子装置の後部とによって画定される。
【０００５】
ケース１０は、材料の薄層５０をケースの外側表面上に含み得る。最も好適な実施形態では、薄層５０は、ＰＥＴポリエチレンテレフタレートまたはポリカーボネート材料であり、ケース１０の後部１５の外側表面の少なくとも一部を覆っている。プラスチック、ポリマー、または金属などの他の薄い材料が使用され得る。木材などの再生可能材料を使用することもできる。
【０００６】
別の実施形態では、薄層５０は、ディスプレイのための装飾、しるし、または他のグラフィック要素を含む。
【０００７】
いくつかの実施形態では、ケース後部１５は、ケースの窪み部２０またはケース１０の第２の窪み部３０と、ケース１０の後部の外側の領域との間の連通を可能にする１つの開口孔６０または複数の開口孔を含み得る。いくつかの実施形態では、開口孔６０は、ケース１０および装置の保持を補助するためのシリコーンストリップなど、保持構造を固定するために使用される。そのような保持構造またはフィンガループは、当技術分野で知られており、米国特許第８９５０６３８号において開示され、その開示内容は、本明細書に組み込まれる。薄層５０は、開口６５を同じく含むことがあり、薄層開口６５の少なくともいくつかは、後部壁開口孔６０と位置合わせされる。薄層開口６５は、対応するまたは位置合わせされた後部壁開口孔６０と比較すると、より大きな直径であり得る。
【０００８】
最も好適な実施形態では、開口孔６０のうちの少なくとも１つを囲んでいるケース後部の材料は、ケース１０の後部表面６７の上に延びており、開口孔６０を囲んでいる材料の薄層５０と同じ高さかまたはそれより上にある。したがって、ケース後部材料は、開口孔６０のまわりの環状隆起部７０、フランジ、またはベースを形成する。この構造は、材料の薄層５０が、把持またはユーザ保持機能を形成する目的で、開口孔６０に通すことのできるシリコーンストリップなど、開口孔６０内に配置された任意の材料を摩耗させるかまたはそれに食い込むのを防止する。
【０００９】
開口孔６０のまわりの環状隆起部７０、フランジ、またはベースは、特に、２つ以上の開口孔６０および環状隆起部７０が存在する場合、位置合わせ構造として使用され得る。環状隆起部７０は、ケース１０の後部表面６７に薄層５０を保持するための保持構造として機能することもある。いくつかの実施形態では、環状隆起部７０は、その上部表面で半径方向外方に延びるフランジを含むことがあり、フランジは、ケースの後部６７から、材料の薄層５０の厚さに略等しい距離だけ変位する。したがって、フランジは、薄層６７をケース１０の後部にさらに固定することができる。
【符号の説明】
【００１０】
１０  ケース
１１  側壁
１５  後部壁、後部
２０  第１の窪み部
２２  壁
３０  第２の窪み部
５０  材料の薄層
６０  開口孔、後部壁開口孔
６５  開口、薄層開口
６７  後部表面、薄層、後部
【図１】
0003231722.tif 000003
【図２】
0003231722.tif 000004
【図３】
0003231722.tif 000005
【図４】
0003231722.tif 000006
【図５】
0003231722.tif 000007
【手続補正書】
【提出日】令和3年2月18日(2021.2.18)
【手続補正１】
【補正対象書類名】実用新案登録請求の範囲
【補正対象項目名】全文
【補正方法】変更
【補正の内容】
【実用新案登録請求の範囲】
【請求項１】
携帯型電子装置用のケースであって、
前記ケースは、前記携帯型電子装置を受容するための窪み部を含み、
前記ケースは、開口孔を有する後部壁を含み、
前記開口孔は、前記ケースの後部の上に延びるとともに前記開口孔のまわりで半径方向外方に延びる環状隆起部を含む、携帯型電子装置用のケース。
【請求項２】
前記ケースの前記後部に材料の薄層をさらに含み、
前記材料の薄層は、前記環状隆起部のまわりに位置決めされた開口を有する、請求項１に記載のケース。
【請求項３】
前記材料の薄層の表面は、前記環状隆起部の上部表面と同じ高さである、請求項２に記載のケース。
【請求項４】
シリコーンストリップが、前記ケースの前記開口孔に固定される、請求項１に記載のケース。
(57)【要約】      （修正有）【課題】ジグソーパズルを組む際に必要な完成見本絵柄を無くす事を防止するマグカップ付きジグソーコースターを提供する。【解決手段】マグカップ付きジグソーコースターは、ジグソーコースター１と、その上にのせるマグカップ４で構成され、ジグソーコースター１は、ジグソーパズルの本体と透明カバーとで構成され、マグカップ４のデザイン４１とジグソーコースター１のデザイン２２は共通として、マグカップ４を見ながらジグソーパズルを完成させることができる。【選択図】図２
0003231731.tif 000002
【実用新案登録請求の範囲】
【請求項１】
ジグソーコースター（１）と、その上にのせるマグカップ（４）でなり、ジグソーコースター（１）は、ジグソーパズルの本体（２）と透明カバー（３）とでなり、マグカップ（４）のデザイン（４１）とコースターのデザイン（２２）は共通として、マグカップを見ながらジグソーを完成させるようにしたことを特徴とするマグカップ付きジグソーコースター。
【考案の詳細な説明】
【技術分野】
【０００１】  ジグソーパズルのコースター、及び、その絵柄を入れたマグカップに関する。
【背景技術】
【０００２】  マグカップの絵柄を見ながらパズルを組む事ができるもので、パズルの仕組みになったコースターとマグカップのセットされたものは無かった。
【考案の概要】
【考案が解決しようとする課題】
【０００３】  ジグソーパズルを組む際に完成の絵柄が必要になるが、従来製品ではパッケージや印刷物がその役目をしており、それを無くすとパズル遊びが出来なくなる。
【課題を解決するための手段】
【０００４】  ジグソーパズルの絵柄とマグカップに描かれている絵柄を統一にする。
【考案の効果】
【０００５】  コースターの役目を備えたジグソーパズルとマグカップは共に保管され、完成の絵柄を無くすリスクが無くなる。
【図面の簡単な説明】
【０００６】
【図１】  本考案のジグソーコースターの構成
【図２】  本考案のジグソーコースターの使用例
【考案を実施するための形態】
【０００７】図１と図２に示すように、ジグソーコースター（１）と、その上にのせるマグカップ（４）でなり、ジグソーコースター（１）は、ジグソーパズルの本体（２）と透明カバー（３）とでなり、マグカップ（４）のデザイン（４１）とコースターのデザイン（２２）は共通として、マグカップを見ながらジグソーを完成させるようにしたことを特徴とするマグカップ付きジグソーコースターである。
【０００８】  ジグソーコースター（１）がジグソーパズルの機能を有しており、マグカップ（４）のデザインと統一させる事により、マグカップを見ながらパズルを組み立てる事ができるものである。水分除けとパズルの分解防止を兼ねてスリーブ状の透明カバーをする。ジグソーコースター（１）は、木製、プラスチック、紙などで構成する。
【０００９】  図２に示すように、絵柄（ＡＢＣ）の付いたマグカップと同じ絵柄（ＡＢＣ）のコースターで構成され、マグカップの絵柄（ＡＢＣ）を見ながらパズルを組む。
【符号の説明】
【００１０】１  ジグソーコースター
２  コースター本体
２１  ジグソーパズルのピース
２２  絵柄
３    透明カバー
４  マグカップ
４１  絵柄
【図１】
0003231731.tif 000003
【図２】
0003231731.tif 000004